(57)【要約】【課題】複数の無線端末が同時に同一周波数の参照信号を送信してしまうことを防止した、無線基地局、無線端末及び通信制御方法を提供する。【解決手段】ｅＮＢ１−１は、ＵＥ２−１乃至ＵＥ２−３毎に異なるＳＲＳパラメータと、ＵＥ２−１乃至ＵＥ２−３毎に共通の適用タイミングパラメータとが設定されたＲＲＣ  Ｃｏｎｎｎｅｃｔｉｏｎ  Ｒｅｃｏｎｆｉｇｕｒａｔｉｏｎメッセージを、ＵＥ２−１乃至ＵＥ２−３へ送信する。ＵＥ２−１乃至ＵＥ２−３は、ＲＲＣ  Ｃｏｎｎｎｅｃｔｉｏｎ  Ｒｅｃｏｎｆｉｇｕｒａｔｉｏｎメッセージを受信し、当該メッセージに設定された、ＳＲＳパラメータと適用タイミングパラメータとを認識する。更に、ＵＥ２−１乃至ＵＥ２−３は、適用タイミングパラメータによって示される、ＳＲＳパラメータの適用タイミングが到来した場合、ＳＲＳに対して、ＳＲＳパラメータを適用し、当該ＳＲＳを送信する。【選択図】図５
2012129962.tif 000002
【特許請求の範囲】
【請求項１】
無線端末を接続可能な無線基地局であって、
前記無線端末が送信する参照信号に関するパラメータの適用を前記無線端末に要求する適用要求メッセージを、前記無線端末へ送信し、
前記パラメータの適用のタイミングに関する情報を、前記無線端末へ送信する無線基地局。
【請求項２】
前記適用要求メッセージは、前記パラメータの適用のタイミングに関する情報を含む請求項１に記載の無線基地局。
【請求項３】
前記パラメータの適用のタイミングに関する情報は、基準となる時刻からの遅延時間、及び、前記パラメータの適用のタイミングを示す時刻の少なくともいずれかである請求項１に記載の無線基地局。
【請求項４】
前記パラメータは、前記参照信号の周波数帯域、及び、前記参照信号の送信周期の少なくともいずれかである請求項１に記載の無線基地局。
【請求項５】
無線基地局に接続可能な無線端末であって、
前記無線端末が送信する参照信号に関するパラメータの適用を前記無線端末に要求する適用要求メッセージを、前記無線基地局から受信し、
保持している前記パラメータの適用のタイミングに関する情報に基づいて、前記パラメータの適用のタイミングを制御する無線端末。
【請求項６】
前記パラメータの適用のタイミングに関する情報を、前記無線基地局から受信する請求項５に記載の無線端末。
【請求項７】
無線端末を接続可能な無線基地局における通信制御方法であって、
前記無線基地局が、前記無線端末が送信する参照信号に関するパラメータの適用を前記無線端末に要求する適用要求メッセージを、前記無線端末へ送信し、
前記無線基地局が、前記パラメータの適用のタイミングに関する情報を、前記無線端末へ送信する通信制御方法。
【請求項８】
無線基地局に接続可能な無線端末における通信制御方法であって、
前記無線端末が、自端末が送信する参照信号に関するパラメータの適用を前記無線端末に要求する適用要求メッセージを、前記無線基地局から受信し、
前記無線端末が、保持している前記パラメータの適用のタイミングに関する情報に基づいて、前記パラメータの適用のタイミングを制御する通信制御方法。
【発明の詳細な説明】
【技術分野】
【０００１】
本発明は、無線通信システム内に構成される無線基地局、無線端末、無線基地局における通信制御方法、無線端末における通信制御方法に関する。
【背景技術】
【０００２】
３ＧＰＰ（Third Generation Partnership Project）において、規格がされたＬＴＥ（Long Term Evolution）に対応する無線通信システムでは、無線基地局（ｅＮＢ）と無線端末（ＵＥ）との間の無線通信において、ｅＮＢがＵＥに対して無線リソース（リソースブロック：ＲＢ）の割り当てを行っている（例えば、非特許文献１参照）。ｅＮＢは、適宜、ＵＥに割り当てるリソースブロックを変更している。例えば、ｅＮＢは、大量のデータの送信先のＵＥや、通信の優先順位の高いＵＥに対しては、広帯域のリソースブロックを割り当てる。
【０００３】
また、ＬＴＥに対応する無線通信システムでは、ｅＮＢとＵＥとの間の無線通信に、周波数分割複信（ＦＤＤ：Firequency Division Duplex）と、時分割複信（ＴＤＤ：Time Division Duplex）との何れかが採用される。
【０００４】
更に、ＴＤＤを採用するＬＴＥ（ＴＤＤ−ＬＴＥ）の無線通信システムでは、ｅＮＢと、移動するＵＥとの間の通信品質を確保すべく、ｅＮＢが、ＵＥが送信する上りの無線信号であるサウンディング参照信号（ＳＲＳ）の受信状況に応じて、アンテナウェイトを算出し、下りの無線信号の送信時に送信先のＵＥの方向へ適応的にビームを向ける制御（ビームフォーミング）や、送信先以外のＵＥの方向へヌルを向ける制御（ヌルステアリング）を行うことが検討されている。
【０００５】
ＵＥに割り当てられるリソースブロックが適宜変更される環境下において、ビームフォーミングやヌルステアリングを実現するためには、ＳＲＳの周波数帯に、当該ＵＥに割り当てようとするリソースブロックの周波数帯が含まれている必要がある。すなわち、ＳＲＳの周波数帯も、適宜切り替えられる必要がある。
【０００６】
このため、ｅＮＢは、以下の処理を行う。ｅＮＢは、ＳＲＳの送信内容や送信方法等のパラメータを含んだ、ＲＲＣ（Radio Resource Control）  Ｃｏｎｎｎｅｃｔｉｏｎ  Ｒｅｃｏｎｆｉｇｕｒａｔｉｏｎメッセージを、ＵＥへ送信する。ＵＥは、応答メッセージである、ＲＲＣ  Ｃｏｎｎｎｅｃｔｉｏｎ  Ｒｅｃｏｎｆｉｇｕｒａｔｉｏｎ  Ｃｏｍｐｌｅｔｅメッセージを、ｅＮＢへ送信し、パラメータに従って、ＳＲＳを切り替えて送信する。ｅＮＢは、ＳＲＳの受信状況に応じて、アンテナウェイトを算出する。
【先行技術文献】
【非特許文献】
【０００７】
【非特許文献１】3GPP TS 36.211 V8.7.0 ”Physical Channels and Moduration”, MAY 2009
【発明の概要】
【発明が解決しようとする課題】
【０００８】
しかし、従来、ＵＥにおけるＳＲＳの切り替えタイミングは、当該ＵＥの性能や、ＲＲＣ  Ｃｏｎｎｎｅｃｔｉｏｎ  Ｒｅｃｏｎｆｉｇｕｒａｔｉｏｎメッセージの伝搬遅延に依存する。このため、ｅＮＢが、複数のＵＥに対して同時にＲＲＣ  Ｃｏｎｎｎｅｃｔｉｏｎ  Ｒｅｃｏｎｆｉｇｕｒａｔｉｏｎメッセージを送信しても、各ＵＥにおけるＳＲＳの切り替えタイミングが一致しないことがある。従って、複数のＵＥが、同時に同一周波数のＳＲＳを送信してしまい、ＳＲＳの衝突が発生する可能性がある。
【０００９】
上記問題点に鑑み、本発明は、複数の無線端末が同時に同一周波数の参照信号を送信してしまうことを防止した、無線基地局、無線端末及び通信制御方法を提供することを目的とする。
【課題を解決するための手段】
【００１０】
上述した課題を解決するために、本発明は以下のような特徴を有している。本発明の特徴は、無線端末（ＵＥ２−１乃至ＵＥ２−３）を接続可能な無線基地局（ｅＮＢ１−１）であって、前記無線端末が送信する参照信号（ＳＲＳ）に関するパラメータの適用を前記無線端末に要求する適用要求メッセージ（ＲＲＣ  Ｃｏｎｎｎｅｃｔｉｏｎ  Ｒｅｃｏｎｆｉｇｕｒａｔｉｏｎメッセージ）を、前記無線端末へ送信し、前記パラメータの適用のタイミングに関する情報を、前記無線端末へ送信することを要旨とする。
【００１１】
このような無線基地局は、無線端末に対して、参照信号に関するパラメータとともに、当該パラメータの適用のタイミングに関する情報をも送信する。従って、無線端末は、タイミングに関する情報に基づくタイミングでパラメータを適用し、参照信号を送信することができる。このため、各無線端末における参照信号の切り替えを可能な限り同一タイミングとすることができ、複数の無線端末が同時に同一周波数の参照信号を送信してしまうことが防止できる。
【００１２】
本発明の特徴は、前記適用要求メッセージは、前記パラメータの適用のタイミングに関する情報を含むことを要旨とする。
【００１３】
本発明の特徴は、前記パラメータの適用のタイミングに関する情報は、基準となる時刻からの遅延時間、及び、前記パラメータの適用のタイミングを示す時刻の少なくともいずれかであることを要旨とする。
【００１４】
本発明の特徴は、前記パラメータは、前記参照信号の周波数帯域、及び、前記参照信号の送信周期の少なくともいずれかであることを要旨とする。
【００１５】
本発明の特徴は、無線基地局（ｅＮＢ１−１）に接続可能な無線端末（ＵＥ２−１乃至ＵＥ２−３）であって、前記無線端末が送信する参照信号（ＳＲＳ）に関するパラメータの適用を前記無線端末に要求する適用要求メッセージ（ＲＲＣ  Ｃｏｎｎｎｅｃｔｉｏｎ  Ｒｅｃｏｎｆｉｇｕｒａｔｉｏｎメッセージ）を、前記無線基地局から受信し、保持している前記パラメータの適用のタイミングに関する情報に基づいて、前記パラメータの適用のタイミングを制御することを要旨とする。
【００１６】
このような無線端末は、参照信号に関するパラメータの適用のタイミングに関する情報をも、無線基地局から受信する。従って、無線端末は、タイミングに関する情報に基づくタイミングでパラメータを適用し、参照信号を送信することができる。このため、各無線端末における参照信号の切り替えを可能な限り同一タイミングとすることができ、複数の無線端末が同時に同一周波数の参照信号を送信してしまうことが防止できる。
【００１７】
本発明の特徴は、前記無線端末は、前記パラメータの適用のタイミングに関する情報を、前記無線基地局から受信することを要旨とする。
【００１８】
本発明の特徴は、無線端末を接続可能な無線基地局における通信制御方法であって、前記無線基地局が、前記無線端末が送信する参照信号に関するパラメータの適用を前記無線端末に要求する適用要求メッセージを、前記無線端末へ送信し、前記無線基地局が、前記パラメータの適用のタイミングに関する情報を、前記無線端末へ送信することを要旨とする。
【００１９】
本発明の特徴は、無線基地局に接続可能な無線端末における通信制御方法であって、前記無線端末が、自端末が送信する参照信号に関するパラメータの適用を前記無線端末に要求する適用要求メッセージを、前記無線基地局から受信し、前記無線端末が、保持している前記パラメータの適用のタイミングに関する情報に基づいて、前記パラメータの適用のタイミングを制御することを要旨とする。
【発明の効果】
【００２０】
本発明によれば、複数の無線端末が同時に同一周波数の参照信号を送信してしまうことを防止できる。
【図面の簡単な説明】
【００２１】
【図１】本発明の実施形態に係る無線通信システムの全体概略構成図である。
【図２】本発明の実施形態に係る、リソースブロックのフォーマットを示す図である。
【図３】本発明の実施形態に係る、フレームのフォーマットを示す図である。
【図４】本発明の実施形態に係る、無線基地局と無線端末との間の無線通信において利用可能な無線リソースの周波数帯の構成を示す図である。
【図５】本発明の実施形態に係る、無線基地局の構成図である。
【図６】本発明の実施形態に係る、無線端末の構成図である。
【図７】本発明の実施形態に係る、ＳＲＳの送信周波数帯の時間遷移を示す図である。
【図８】本発明の実施形態に係る、無線通信システムの動作を示すシーケンス図である。
【発明を実施するための形態】
【００２２】
次に、図面を参照して、本発明の実施形態を説明する。具体的には、無線通信システムの構成、無線基地局の構成、無線端末の構成、無線通信システムの動作、作用・効果、その他の実施形態について説明する。以下の実施形態における図面の記載において、同一又は類似の部分には同一又は類似の符号を付している。
【００２３】
（１）無線通信システムの構成
図１は、本発明の実施形態に係る無線通信システム１０の全体概略構成図である。
【００２４】
図１に示す無線通信システム１０は、ＴＤＤ−ＬＴＥの無線通信システムである。無線通信システム１０は、無線基地局（ｅＮＢ）１−１と、無線端末（ＵＥ）２−１、無線端末（ＵＥ）２−２、無線端末（ＵＥ）２−３とを含む。
【００２５】
ＵＥ２−１乃至ＵＥ２−３は、ｅＮＢ１−１によるリソースブロックの割り当て対象である。この場合、ｅＮＢ１−１を基準とすると、ＵＥ２−１乃至ＵＥ２−３は、サービング無線端末である。また、ｅＮＢ１−１以外の図示しないｅＮＢを基準とすると、ＵＥ２−１乃至ＵＥ２−３は、非サービング無線端末である。
【００２６】
ｅＮＢ１−１とＵＥ２−１乃至ＵＥ２−３との間の無線通信には、時分割複信が採用されるとともに、下りの無線通信にはＯＦＤＭＡ（Orthogonal Frequency Division Multiplexing Access）、上りの無線通信にはＳＣ−ＦＤＭＡ（Single Carrier Frequency Division Multiple Access）が採用される。ここで、下りとは、ｅＮＢ１−１からＵＥ２−１乃至ＵＥ２−３へ向かう方向を意味する。上りとは、ＵＥ２−１乃至ＵＥ２−３からｅＮＢ１−１へ向かう方向を意味する。
【００２７】
ｅＮＢ１−１は、セル３−１内のＵＥ２−１乃至ＵＥ２−３に対して、無線リソースとしてのリソースブロック（ＲＢ：Resource Block）を割り当てる。
【００２８】
リソースブロックは、下りの無線通信に用いられる下りリソースブロック（下りＲＢ）と、上りの無線通信に用いられる上りリソースブロック（上りＲＢ）とがある。複数の下りリソースブロックは、周波数方向及び時間方向に配列される。同様に、複数の上りリソースブロックは、周波数方向及び時間方向に配列される。
【００２９】
図２は、リソースブロックのフォーマットを示す図である。図２に示すように、リソースブロックは、時間方向では、１［ｍｓ］の時間長を有する１つのサブフレームによって構成される。サブフレームは、時間帯Ｓ１乃至時間帯Ｓ１４からなる。これら時間帯Ｓ１乃至時間帯Ｓ１４のうち、時間帯Ｓ１乃至時間帯Ｓ７は、前半のタイムスロット（タイムスロット１）を構成し、時間帯Ｓ８乃至時間帯Ｓ１４は、後半のタイムスロット（タイムスロット２）を構成する。
【００３０】
図２に示すように、リソースブロックは、周波数方向では、１８０［ｋＨｚ］の周波数幅を有する。また、リソースブロックは、１５［ｋＨｚ］の周波数幅を有する１２個のシンボルキャリアＦ１乃至Ｆ１２からなる。
【００３１】
また、時間方向においては、複数のサブフレームによって１つのフレームが構成される。図３は、フレームのフォーマットを示す図である。図３に示すフレームは、１０個のサブフレームによって構成される。フレームには、１０個のサブフレームが、下りリソースブロックのサブフレーム、下りリソースブロック及び上りリソースブロック双方のサブフレーム（スペシャルサブフレーム：ＳＳＦ）、上りリソースブロックのサブフレーム、上りリソースブロックのサブフレーム、下りリソースブロックのサブフレーム、下りリソースブロックのサブフレーム、スペシャルサブフレーム、上りリソースブロックのサブフレーム、上りリソースブロックのサブフレーム、下りリソースブロックのサブフレームの順で含まれている。以下、１フレームに含まれる２つのスペシャルサブフレームのうち、前方のスペシャルサブフレームを第１ＳＳＦ３０１と称し、後方のスペシャルサブフレームを第２ＳＳＦ３０２と称する。なお、スペシャルサブフレームは、サブフレーム内において、ガードタイムを挟んで前半のタイムスロットが下りの無線通信に利用され、後半のタイムスロットが上りの無線通信に利用される。
【００３２】
また、周波数方向においては、ｅＮＢ１−１とＵＥ２−１乃至ＵＥ２−３との間の無線通信において利用可能な無線リソースの周波数帯、換言すれば、ＵＥ２−１に対して割り当て可能な周波数帯（割り当て周波数帯）は、複数のリソースブロックの個数分の帯域を有する。
【００３３】
図４は、ｅＮＢ１−１ＵＥ２−１乃至ＵＥ２−３との間の無線通信において利用可能な周波数帯の構成を示す図である。ｅＮＢ１−１とＵＥ２−１乃至ＵＥ２−３との間の無線通信において利用可能な全周波数帯は、１００個のリソースブロック分の帯域であるが、ここでは、図４に示すように、ｅＮＢ１−１とＵＥ２−１乃至ＵＥ２−３との間の無線通信において、９６個のリソースブロック分の帯域が利用されるものとする。また、周波数帯を、２４個のリソースブロック分の帯域を有する周波数帯１乃至周波数帯４に分割する。
【００３４】
下りリソースブロックは、時間方向に、下りの制御情報伝送用の制御情報チャネル（ＰＤＣＣＨ：Physical Downlink Control CHannel）と、下り方向のユーザデータ伝送用の共有データチャネル（ＰＤＳＣＨ：Physical Downlink Shared CHannel）とにより構成される。
【００３５】
一方、上りリソースブロックは、上りの無線通信に使用可能な全周波数帯の両端では、上りの制御情報伝送用の制御情報チャネル（ＰＵＣＣＨ：Physical Uplink Control CHannel）が構成され、中央部では、上りのユーザデータ伝送用の共有データチャネル（ＰＵＳＣＨ：Physical Uplink Shared CHannel）が構成される。
【００３６】
（２）無線基地局の構成
図５は、ｅＮＢ１−１の構成図である。図５に示すように、ｅＮＢ１−１は、複数のアンテナにアンテナウェイトを適用するアダプティブアレイ方式の無線基地局であり、制御部１０２、記憶部１０３、Ｉ／Ｆ部１０４、無線通信部１０６、変調・復調部１０７、アダプティブアレイアンテナ１０８Ａ、アダプティブアレイアンテナ１０８Ｂ、アダプティブアレイアンテナ１０８Ｃ、アダプティブアレイアンテナ１０８Ｄを含む。
【００３７】
制御部１０２は、例えばＣＰＵによって構成され、ｅＮＢ１−１が具備する各種機能を制御する。制御部１０２は、サウンディング参照信号（ＳＲＳ）の送信周波数帯の設定、ＵＥ２−１乃至ＵＥ２−３に対するリソースブロック（ＲＢ）の割り当て、アンテナウェイトの算出等を行う。記憶部１０３は、例えばメモリによって構成され、ｅＮＢ１−１における制御などに用いられる各種情報を記憶する。
【００３８】
Ｉ／Ｆ部１０４は、Ｘ２インタフェースを介して、他のｅＮＢとの間で通信可能である。また、Ｉ／Ｆ部１０４は、Ｓ１インターフェースを介して、図示しないＥＰＣ（Evolved Packet Core）、具体的には、ＭＭＥ（Mobility Management Entity）／Ｓ−ＧＷ（Serving Gateway）と通信可能である。
【００３９】
無線通信部１０６は、アダプティブアレイアンテナ１０８Ａ乃至アダプティブアレイアンテナ１０８Ｄを介して、ＵＥ２−１から送信される上り無線信号を受信する。更に、無線通信部１０６は、受信した上り無線信号をベースバンド信号に変換（ダウンコンバート）し、変調・復調部１０７へ出力する。
【００４０】
変調・復調部１０７は、入力されたベースバンド信号の復調及び復号処理を行う。これにより、ＵＥ２−１が送信した上り無線信号に含まれるデータが得られる。データは制御部１０２へ出力される。
【００４１】
また、変調・復調部１０７は、制御部１０２からのデータの符号化及び変調を行い、ベースバンド信号を得る。無線通信部１０６は、ベースバンド信号を下り無線信号に変換（アップコンバート）する。更に、無線通信部１０６は、アダプティブアレイアンテナ１０８Ａ乃至アダプティブアレイアンテナ１０８Ｄを介して、下り無線信号を送信する。
【００４２】
制御部１０２は、ＵＥ２−１乃至ＵＥ２−３毎に、スペシャルサブフレームのタイミングで当該ＵＥ２−１乃至ＵＥ２−３がサウンディング参照信号（ＳＲＳ）を送信する際に使用する周波数帯（ＳＲＳ送信周波数帯）を設定する。ここで、ＳＲＳは、ｅＮＢ１−１におけるアンテナウェイトの算出で参照すべき信号であり、無線周波数帯の上り無線信号である。  具体的には、制御部１０２は、ＳＲＳ送信周波数帯の帯域幅に対応するパラメータ、ＳＲＳ送信周波数帯の中心周波数に対応するパラメータ、ＳＲＳの送信周期等のＳＲＳに関するパラメータ（ＳＲＳパラメータ）を設定する。ＳＲＳの送信周波数帯は、ＵＥ２−１乃至ＵＥ２−３毎にＳＲＳ送信周波数帯が重複しないように設定される。従って、ＳＲＳパラメータは、ＵＥ２−１乃至ＵＥ２−３毎に異なる。例えば、制御部１０２は、ＵＥへ送信すべきデータ量が多いほど、当該ＵＥに対応するＳＲＳ送信周波数帯を広く設定する。また、制御部１０２は、無線通信におけるＵＥの優先順位が高いほど、当該ＵＥに対応するＳＲＳ送信周波数帯を広く設定する。
【００４３】
次に、制御部１０２は、ＲＲＣ（Radio Resource Control）  Ｃｏｎｎｎｅｃｔｉｏｎ  Ｒｅｃｏｎｆｉｇｕｒａｔｉｏｎメッセージの情報要素である、ＳｏｕｎｄｉｎｇＲＳ−ＵＬ−Ｃｏｎｆｉｇに、ＳＲＳパラメータを設定する。
【００４４】
制御部１０２は、ＵＥが、ＳＲＳの切り替えに際してＳＲＳパラメータを適用するタイミングに関するパラメータ（適用タイミングパラメータ）を生成する。例えば、適用タイミングパラメータは、ＲＲＣ  Ｃｏｎｎｎｅｃｔｉｏｎ  Ｒｅｃｏｎｆｉｇｕｒａｔｉｏｎメッセージを受信したフレームから所定数後のフレームで、ＵＥがＳＲＳパラメータを適用することを要求する情報である。あるいは、適用タイミングパラメータは、ＳＲＳパラメータの適用タイミングを示す絶対時刻の情報である。
【００４５】
次に、制御部１０２は、各ＲＲＣ（Radio Resource Control）  Ｃｏｎｎｎｅｃｔｉｏｎ  Ｒｅｃｏｎｆｉｇｕｒａｔｉｏｎメッセージの情報要素である、ＳｏｕｎｄｉｎｇＲＳ−ＵＬ−Ｃｏｎｆｉｇに、共通の同一の適用タイミングパラメータを設定する。
【００４６】
更に、制御部１０２は、ＳＲＳパラメータと適用タイミングパラメータとが設定された、ＵＥ２−１乃至ＵＥ２−３毎のＲＲＣ  Ｃｏｎｎｎｅｃｔｉｏｎ  Ｒｅｃｏｎｆｉｇｕｒａｔｉｏｎメッセージを変調・復調部１０７へ出力する。
【００４７】
変調・復調部１０７は、ＲＲＣ  Ｃｏｎｎｎｅｃｔｉｏｎ  Ｒｅｃｏｎｆｉｇｕｒａｔｉｏｎメッセージの符号化及び変調を行い、ベースバンド信号を得る。無線通信部１０６は、ベースバンド信号を下り無線信号に変換し、アダプティブアレイアンテナ１０８Ａ乃至アダプティブアレイアンテナ１０８Ｄを介して、下り無線信号を送信する。
【００４８】
なお、ＵＥ２−１乃至ＵＥ２−３毎のＲＲＣ  Ｃｏｎｎｎｅｃｔｉｏｎ  Ｒｅｃｏｎｆｉｇｕｒａｔｉｏｎメッセージの送信は、各ＵＥに対して同時に行われる必要はない。例えば、適用タイミングパラメータが、ＲＲＣ  Ｃｏｎｎｎｅｃｔｉｏｎ  Ｒｅｃｏｎｆｉｇｕｒａｔｉｏｎメッセージを受信したフレームから所定数後のフレームで、ＵＥがＳＲＳパラメータを適用することを要求する情報である場合には、ＵＥ２−１乃至ＵＥ２−３におけるＲＲＣ  Ｃｏｎｎｎｅｃｔｉｏｎ  Ｒｅｃｏｎｆｉｇｕｒａｔｉｏｎメッセージの受信タイミングが、同一のフレーム内に収まるように、当該ＲＲＣ  Ｃｏｎｎｎｅｃｔｉｏｎ  Ｒｅｃｏｎｆｉｇｕｒａｔｉｏｎメッセージが送信されればよい。また、適用タイミングパラメータが、ＳＲＳパラメータの適用タイミングを示す絶対時刻の情報である場合には、当該絶対時刻が到来するよりも所定時間前までに、ＲＲＣ  Ｃｏｎｎｎｅｃｔｉｏｎ  Ｒｅｃｏｎｆｉｇｕｒａｔｉｏｎメッセージが送信されればよい。
【００４９】
ＵＥ２−１乃至ＵＥ２−３は、ＲＲＣ  Ｃｏｎｎｅｃｔｉｏｎ  Ｒｅｃｏｎｆｉｇｕｒａｔｉｏｎ  メッセージに対応する下り無線信号を受信する。
【００５０】
ＵＥ２−１乃至ＵＥ２−３は、ＲＲＣ  Ｃｏｎｎｅｃｔｉｏｎ  Ｒｅｃｏｎｆｉｇｕｒａｔｉｏｎ  メッセージに設定されているＳＲＳパラメータに基づいて、ＳＲＳパラメータであるＳＲＳ送信周波数帯、ＳＲＳの送信周期等を認識する。また、ＵＥ２−１乃至ＵＥ２−３は、ＲＲＣ  Ｃｏｎｎｅｃｔｉｏｎ  Ｒｅｃｏｎｆｉｇｕｒａｔｉｏｎ  メッセージに設定されている適用タイミングパラメータに基づいて、ＳＲＳパラメータの適用タイミングを認識する。
【００５１】
ＵＥ２−１乃至ＵＥ２−３は、ＳＲＳパラメータの適用タイミングに対応するスペシャルサブフレームのタイミングが到来すると、認識したＳＲＳ送信周波数帯を用いてＳＲＳを送信する。その後も、ＵＥ２−１乃至ＵＥ２−３は、ＳＲＳの送信周期で定められる送信タイミングが到来する毎に、ＳＲＳを送信する。
【００５２】
ｅＮＢ１−１内の無線通信部１０６は、アダプティブアレイアンテナ１０８Ａ乃至アダプティブアレイアンテナ１０８Ｄを介して、ＵＥ２−１乃至ＵＥ２−３から送信されるＳＲＳを受信する。更に、無線通信部１０６は、受信したＳＲＳをベースバンド信号に変換し、変調・復調部１０７へ出力する。また、無線通信部１０６は、受信したＳＲＳの周波数帯の情報を制御部１０２へ出力する。変調・復調部１０７は、入力されたベースバンド信号の復調及び復号処理を行う。これにより、ＵＥ２−１乃至ＵＥ２−３が送信したＳＲＳに含まれるデータが得られる。データは制御部１０２へ出力される。
【００５３】
制御部１０２は、ＵＥ２−１乃至ＵＥ２−３に対して、下りリソースブロックを割り当てる。
【００５４】
また、制御部１０２は、各アダプティブアレイアンテナ１０８Ａ乃至アダプティブアレイアンテナ１０８Ｄ毎に、ＳＲＳの受信時において信号対干渉雑音比（ＳＩＮＲ）が最大となるアンテナウェイト（受信ウェイト）を算出し、当該受信ウェイトを送信ウェイトとして設定する。
【００５５】
その後、制御部１０２は、割り当てた下りリソースブロックを用いて、変調・復調部１０７、無線通信部１０６及びアダプティブアレイアンテナ１０８Ａ乃至アダプティブアレイアンテナ１０８Ｄを介して、ＵＥ２−１へ下り無線信号を送信する。
【００５６】
（３）無線端末の構成
図６は、ＵＥ２−１の構成図である。図６に示すように、ＵＥ２−１は、制御部２０２、記憶部２０３、無線通信部２０６、変調・復調部２０７、アンテナ２０８を含む。ＵＥ２−２及びＵＥ２−３も同様の構成を有する。
【００５７】
制御部２０２は、例えばＣＰＵによって構成され、ＵＥ２−１が具備する各種機能を制御する。制御部２０２は、ＳＲＳの送信周波数帯を設定する。記憶部２０３は、例えばメモリによって構成され、ＵＥ２−１における制御などに用いられる各種情報を記憶する。
【００５８】
無線通信部２０６は、アンテナ２０８を介して、ｅＮＢ１−１から送信される下り無線信号を受信する。更に、無線通信部２０６は、受信した下り無線信号をベースバンド信号に変換（ダウンコンバート）し、変調・復調部２０７へ出力する。
【００５９】
変調・復調部２０７は、入力されたベースバンド信号の復調及び復号処理を行う。これにより、ｅＮＢ１−１が送信した下り無線信号に含まれるデータが得られる。データは制御部２０２へ出力される。
【００６０】
また、変調・復調部２０７は、制御部２０２からのデータの符号化及び変調を行い、ベースバンド信号を得る。無線通信部２０６は、ベースバンド信号を上り無線信号に変換（アップコンバート）する。更に、無線通信部２０６は、アンテナ２０８を介して、上り無線信号を送信する。
【００６１】
制御部２０２は、アンテナ２０８、無線通信部２０６及び変調・復調部２０７を介して、ｅＮＢ１−１からの下り無線信号に対応する、ＲＲＣ  Ｃｏｎｎｅｃｔｉｏｎ  Ｒｅｃｏｎｆｉｇｕｒａｔｉｏｎ  メッセージを受信する。
【００６２】
制御部２０２は、ＲＲＣ  Ｃｏｎｎｅｃｔｉｏｎ  Ｒｅｃｏｎｆｉｇｕｒａｔｉｏｎ  メッセージに設定されているＳＲＳパラメータである、ＳＲＳ送信周波数帯、ＳＲＳの送信周期等を認識する。また、制御部２０２は、ＲＲＣ  Ｃｏｎｎｅｃｔｉｏｎ  Ｒｅｃｏｎｆｉｇｕｒａｔｉｏｎ  メッセージに設定されている適用タイミングパラメータに基づいて、ＳＲＳパラメータの適用タイミングを認識する。
【００６３】
制御部２０２は、ＳＲＳパラメータの適用タイミングに対応するスペシャルサブフレームのタイミングが到来すると、認識したＳＲＳ送信周波数帯を用いてＳＲＳを、変調・復調部２０７、無線通信部２０６及びアンテナ２０８を介して送信する。
【００６４】
その後も、制御部２０２は、ＳＲＳの送信周期で定められる送信タイミングが到来する毎に、ＳＲＳを、変調・復調部２０７、無線通信部２０６及びアンテナ２０８を介して送信する。
【００６５】
図７は、ＳＲＳの送信周波数帯の時間遷移を示す図である。図７において、ＵＥ２−１乃至ＵＥ２−３が、最初に受信したＲＲＣ  Ｃｏｎｎｅｃｔｉｏｎ  Ｒｅｃｏｎｆｉｇｕｒａｔｉｏｎ  メッセージに、スペシャルサブフレーム３０１を示す適用タイミングパラメータが設定され、次に受信したＲＲＣ  Ｃｏｎｎｅｃｔｉｏｎ  Ｒｅｃｏｎｆｉｇｕｒａｔｉｏｎ  メッセージに、スペシャルサブフレーム３０２を示す適用タイミングパラメータが設定されているものとする。
【００６６】
この場合、スペシャルサブフレーム３０１のタイミングが到来すると、ＵＥ２−１乃至ＵＥ２−３は、最初に受信したＲＲＣ  Ｃｏｎｎｅｃｔｉｏｎ  Ｒｅｃｏｎｆｉｇｕｒａｔｉｏｎ  メッセージに含まれるＳＲＳパラメータに基づいて、ＳＲＳの送信周波数帯を切り替えて、当該ＳＲＳを送信する。図７の例では、ＵＥ２−１は、ＳＲＳの送信周波数帯を周波数帯１、周波数帯２及び周波数帯３に切り替えて、当該ＳＲＳを送信する。ＵＥ２−２は、ＳＲＳの送信周波数帯を周波数帯４の半分の周波数帯に切り替えて、当該ＳＲＳを送信する。ＵＥ２−３は、ＳＲＳの送信周波数帯を周波数帯４の他の半分に切り替えて、当該ＳＲＳを送信する。その後も、ＵＥ２−１乃至ＵＥ２−３は、スペシャルサブフレームのタイミングで、切り替え後のＳＲＳを送信する。
【００６７】
更に、スペシャルサブフレーム３０２のタイミングが到来すると、ＵＥ２−１乃至ＵＥ２−３は、最初に受信したＲＲＣ  Ｃｏｎｎｅｃｔｉｏｎ  Ｒｅｃｏｎｆｉｇｕｒａｔｉｏｎ  メッセージに含まれるＳＲＳパラメータに基づいて、ＳＲＳの送信周波数帯を切り替えて、当該ＳＲＳを送信する。図７の例では、ＵＥ２−１は、ＳＲＳの送信周波数帯を周波数帯１に切り替えて、当該ＳＲＳを送信する。ＵＥ２−２は、ＳＲＳの送信周波数帯を周波数帯２及び周波数帯３に切り替えて、当該ＳＲＳを送信する。ＵＥ２−３は、ＳＲＳの送信周波数帯を周波数帯４に切り替えて、当該ＳＲＳを送信する。その後も、ＵＥ２−１乃至ＵＥ２−３は、スペシャルサブフレームのタイミングで、切り替え後のＳＲＳを送信する。
【００６８】
（４）無線通信システムの動作
図８は、無線通信システム１０の動作を示すシーケンス図である。
【００６９】
ステップＳ１０１において、ｅＮＢ１−１は、ＵＥ２−１乃至ＵＥ２−３毎に、ＳＲＳパラメータを生成する。
【００７０】
ステップＳ１０２において、ｅＮＢ１−１は、ＵＥ２−１乃至ＵＥ２−３に共通の適用タイミングパラメータを生成する。
【００７１】
ステップＳ１０３において、ｅＮＢ１−１は、ＵＥ２−１乃至ＵＥ２−３毎のＲＲＣ  Ｃｏｎｎｎｅｃｔｉｏｎ  Ｒｅｃｏｎｆｉｇｕｒａｔｉｏｎメッセージに、ＳＲＳパラメータと適用タイミングパラメータとを設定する。
【００７２】
ステップＳ１０４において、ｅＮＢ１−１は、ＵＥ２−１乃至ＵＥ２−３に、当該ＵＥに対応するＲＲＣ  Ｃｏｎｎｎｅｃｔｉｏｎ  Ｒｅｃｏｎｆｉｇｕｒａｔｉｏｎメッセージを送信する。ＵＥ２−１乃至ＵＥ２−３は、自身に対応するＲＲＣ  Ｃｏｎｎｎｅｃｔｉｏｎ  Ｒｅｃｏｎｆｉｇｕｒａｔｉｏｎメッセージを受信する。
【００７３】
ステップＳ１０５において、ＵＥ２−１乃至ＵＥ２−３は、ＲＲＣ  Ｃｏｎｎｎｅｃｔｉｏｎ  Ｒｅｃｏｎｆｉｇｕｒａｔｉｏｎメッセージに含まれるＳＲＳパラメータを認識する。
【００７４】
ステップＳ１０６において、ＵＥ２−１乃至ＵＥ２−３は、ＲＲＣ  Ｃｏｎｎｎｅｃｔｉｏｎ  Ｒｅｃｏｎｆｉｇｕｒａｔｉｏｎメッセージに含まれる適用タイミングパラメータを認識する。
【００７５】
ステップＳ１０７において、ＵＥ２−１乃至ＵＥ２−３は、適用タイミングパラメータによって示される、ＳＲＳパラメータの適用タイミングが到来したか否かを判定する。
【００７６】
ＳＲＳパラメータの適用タイミングが到来した場合、ステップＳ１０８において、ＵＥ２−１乃至ＵＥ２−３は、ＳＲＳに対して、ＳＲＳパラメータを適用する。
【００７７】
ステップＳ１０９において、ＵＥ２−１乃至ＵＥ２−３は、ＳＲＳパラメータが適用されたＳＲＳを送信する。ｅＮＢ１−１は、ＳＲＳを受信する。
【００７８】
（５）作用・効果
以上説明したように、本実施形態によれば、ｅＮＢ１−１は、ＵＥ２−１乃至ＵＥ２−３毎に異なるＳＲＳパラメータと、ＵＥ２−１乃至ＵＥ２−３毎に共通の適用タイミングパラメータとが設定されたＲＲＣ  Ｃｏｎｎｎｅｃｔｉｏｎ  Ｒｅｃｏｎｆｉｇｕｒａｔｉｏｎメッセージを、ＵＥ２−１乃至ＵＥ２−３へ送信する。ＵＥ２−１乃至ＵＥ２−３は、ＲＲＣ  Ｃｏｎｎｎｅｃｔｉｏｎ  Ｒｅｃｏｎｆｉｇｕｒａｔｉｏｎメッセージを受信し、当該メッセージに設定された、ＳＲＳパラメータと適用タイミングパラメータとを認識する。更に、ＵＥ２−１乃至ＵＥ２−３は、適用タイミングパラメータによって示される、ＳＲＳパラメータの適用タイミングが到来した場合、ＳＲＳに対して、ＳＲＳパラメータを適用し、当該ＳＲＳを送信する。
【００７９】
ｅＮＢ１−１からＵＥ２−１乃至ＵＥ２−３へ送信される、ＲＲＣ  Ｃｏｎｎｎｅｃｔｉｏｎ  Ｒｅｃｏｎｆｉｇｕｒａｔｉｏｎメッセージに、適用タイミングパラメータが設定されることにより、ＵＥ２−１乃至ＵＥ２−３におけるＳＲＳの切り替えを可能な限り同一タイミングとすることができ、ＵＥ２−１乃至ＵＥ２０３が同時に同一周波数のＳＲＳを送信してしまうことが防止できる。
【００８０】
また、ＵＥ２−１乃至ＵＥ２−３が送信するＳＲＳの周波数帯が重複しないため、ｅＮＢ１−１がＳＲＳの受信状況に応じて、アンテナウェイトを算出し、ビームフォーミングや、ヌルステアリングを行う場合に、これらビームフォーミングや、ヌルステアリングの性能が向上する。
【００８１】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８２】
上述した実施形態では、ｅＮＢ１−１は、ＲＲＣ  Ｃｏｎｎｎｅｃｔｉｏｎ  Ｒｅｃｏｎｆｉｇｕｒａｔｉｏｎメッセージに、ＵＥ２−１乃至ＵＥ２−３に共通の適用タイミングパラメータを設定して送信した。一方ＵＥ２−１乃至ＵＥ２−３は、受信したＲＲＣ  Ｃｏｎｎｎｅｃｔｉｏｎ  Ｒｅｃｏｎｆｉｇｕｒａｔｉｏｎメッセージに設定されている適用タイミングパラメータを認識した。
【００８３】
しかし、予め、無線通信システム１０の全体において、共通の適用タイミングパラメータを用意しておき、ＵＥ２−１乃至ＵＥ２−３の記憶部２０３に記憶させてもよい。
【００８４】
この場合、ｅＮＢ１−１内の制御部１０２は、ＲＲＣ  Ｃｏｎｎｎｅｃｔｉｏｎ  Ｒｅｃｏｎｆｉｇｕｒａｔｉｏｎメッセージに、ＳＲＳパラメータのみを設定して送信する。
【００８５】
一方、ＵＥ２−１乃至ＵＥ２−３内の制御部２０２は、受信したＲＲＣ  Ｃｏｎｎｎｅｃｔｉｏｎ  Ｒｅｃｏｎｆｉｇｕｒａｔｉｏｎメッセージに設定されたＳＲＳパラメータを認識するとともに、記憶部２０３に記憶された適用タイミングパラメータを認識する。更に、制御部２０２は、ＳＲＳパラメータの適用タイミングが到来した場合、ＳＲＳに対して、ＳＲＳパラメータを適用し、当該ＳＲＳを送信する。
【００８６】
また、上述した実施形態では、スペシャルサブフレームのタイミングをＵＥ２−１乃至ＵＥ２−３におけるＳＲＳの送信タイミングとした。しかし、ＳＲＳの送信タイミングは、これに限定されず、予めｅＮＢ１−１とＵＥ２−１乃至ＵＥ２−３との間で合意されている共通のタイミングであればよい。但し、ＳＲＳの送信タイミングは、少なくとも１フレームの時間内に一度存在することが好ましい。
【００８７】
また、上述した実施形態では、ｅＮＢ１−１は、受信ウェイトを送信ウェイトとして用いたが、受信ウェイトとは無関係に送信ウェイトを算出するようにしてもよい。
【００８８】
上述した実施形態では、ＴＤＤ−ＬＴＥの無線通信システムについて説明したが、無線端末に割り当てられる上り無線信号の周波数帯と、下り無線信号の周波数帯とが異なる、上下非対称通信が採用される無線通信システムであれば、同様に本発明を適用できる。
【００８９】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００９０】
ｅＮＢ１−１…無線基地局、ＵＥ２−１、ＵＥ２−２、ＵＥ２−３…無線端末、３−１…セル、１０…無線通信システム、１０２…制御部、１０３…記憶部、１０４…Ｉ／Ｆ部、１０６…無線通信部、１０７…変調・復調部、１０８Ａ、１０８Ｂ、１０８Ｃ、１０８Ｄ…アダプティブアレイアンテナ、２０２…制御部、２０３…記憶部、２０６…無線通信部、２０７…変調・復調部、２０８…アンテナ
【図１】
2012129962.tif 000003
【図２】
2012129962.tif 000004
【図３】
2012129962.tif 000005
【図４】
2012129962.tif 000006
【図５】
2012129962.tif 000007
【図６】
2012129962.tif 000008
【図７】
2012129962.tif 000009
【図８】
2012129962.tif 000010